(57)【要約】【課題】端子金具のガタ付きを防止する。【解決手段】押圧部３４Ａ，３４Ｂ，３５Ａ，３５Ｂ（遊動規制手段）が前後２箇所において端子金具２０と電線２８を保持するので、キャビティ１２Ａ，１２Ｂ内において端子金具２０が挿入方向と交差する方向（上下方向）へ遊動することが確実に防止される。また、前後両押圧部３４Ａ，３４Ｂ，３５Ａ，３５Ｂが共に、端子金具２０を抜止めするためのリテーナ３０に形成されているので、遊動規制手段としてリテーナ以外の専用部品とする場合に比べると、部品点数の削減とコネクタハウジング１０及びキャビティ１２Ａ，１２Ｂの構造の簡素化を図ることが可能である。【選択図】  図１
2004158385.tif 000002
【特許請求の範囲】
【請求項１】
前後方向に長いキャビティが形成されたコネクタハウジングと、
電線に接続され、前記キャビティに対し後方から挿入される端子金具と、
前記コネクタハウジングに対し前記端子金具の挿入方向と交差する方向に組み付けられることで、前記端子金具に係止してその端子金具を抜止めするリテーナとを備えてなるコネクタであって、
前記キャビティに挿入された前記端子金具又は前記電線に対しその前後２カ所を保持することで、前記端子金具の挿入方向と交差する方向への遊動を規制する遊動規制手段が設けられ、
その前後２つの遊動規制手段のうち少なくともいずれか一方が前記リテーナに設けられていることを特徴とするコネクタ。
【請求項２】
前記リテーナが、前記コネクタハウジングに対し前記端子金具の挿入方向と交差する方向に組み付けられるようになっており、そのリテーナの組付けに伴って前記端子金具又は前記電線を前記キャビティの内壁に押し付けることで前記端子金具又は前記電線を保持する押圧部によって前記遊動規制手段が構成されていることを特徴とする請求項１記載のコネクタ。
【請求項３】
前記押圧部が前記端子金具に対して後方から係止することでその端子金具を抜止めするようになっていることを特徴とする請求項２記載のコネクタ。
【請求項４】
前側と後側の２つの前記遊動規制手段が、単一部品である前記リテーナに形成されていることを特徴とする請求項１乃至請求項３のいずれかに記載のコネクタ。
【請求項５】
前記コネクタハウジングには、前記遊動規制手段を備えたフロントホルダが前方から組み付けられるようになっており、前記フロントホルダが組み付けられた状態において前記端子金具に対して包囲するように嵌合することでその端子金具を保持する嵌合部によって前記遊動規制手段が構成されていることを特徴とする請求項１乃至請求項４のいずれかに記載のコネクタ。
【請求項６】
前記嵌合部には、前記端子金具を後方から当接させることでその端子金具を前止まりする当接面が形成されていることを特徴とする請求項５記載のコネクタ。
【発明の詳細な説明】
【０００１】
【発明の属する技術分野】
本発明は、コネクタハウジングに端子金具が収容されたコネクタに関するものである。
【０００２】
【従来の技術】
コネクタハウジング内に端子金具が収容されたコネクタは、コネクタハウジング内に前後後方に細長いキャビティを形成し、そのキャビティ内に後方から端子金具を挿入する構造になっている。キャビティの寸法は、端子金具の挿入が円滑に行われるようにするためにキャビティの内壁と端子金具の外面との間に僅かなクリアランスが空くように設定されている。（例えば、特許文献１参照。）
【０００３】
【特許文献１】
実開平３−１３１０６４号公報
【０００４】
【発明が解決しようとする課題】
このようにキャビティの内壁と端子金具の外面との間にクリアランスが確保されている構造では、端子金具がキャビティへの挿入方向と交差する方向にガタ付きを生じることは避けられない。そのため、相手側端子に対してアライメントの狂いが生じ、その結果、端子金具と相手側端子との接続に支障を来す虞がある。特に、端子金具が、先端にタブを有する雄端子金具であって、その雄端子金具に対してリテーナが側方から当接してその雄端子金具を抜け止めする構造のものでは、リテーナの当接位置を支点として雄端子金具がシーソー状に変位するため、雄端子金具が平行移動するようにガタ付く場合に比べると、タブの変位量が大きくなり、その分、相手端子との接続に支障を来たし易い。
【０００５】
本願発明は上記事情に鑑みて創案され、端子金具のガタ付きを防止することを目的としている。
【０００６】
【課題を解決するための手段】
請求項１の発明は、前後方向に長いキャビティが形成されたコネクタハウジングと、電線に接続され、前記キャビティに対し後方から挿入される端子金具と、前記コネクタハウジングに対し前記端子金具の挿入方向と交差する方向に組み付けられることで、前記端子金具に係止してその端子金具を抜止めするリテーナとを備えてなるコネクタであって、前記キャビティに挿入された前記端子金具又は前記電線に対しその前後２カ所を保持することで、前記端子金具の挿入方向と交差する方向への遊動を規制する遊動規制手段が設けられ、その前後２つの遊動規制手段のうち少なくともいずれか一方が前記リテーナに設けられている構成とした。
【０００７】
請求項２の発明は、請求項１の発明において、前記リテーナが、前記コネクタハウジングに対し前記端子金具の挿入方向と交差する方向に組み付けられるようになっており、そのリテーナの組付けに伴って前記端子金具又は前記電線を前記キャビティの内壁に押し付けることで前記端子金具又は前記電線を保持する押圧部によって前記遊動規制手段が構成されている。
請求項３の発明は、請求項２の発明において、前記押圧部が前記端子金具に対して後方から係止することでその端子金具を抜止めするようになっている構成とした。
【０００８】
請求項４の発明は、請求項１乃至請求項３のいずれかの発明において、前側と後側の２つの前記遊動規制手段が、単一部品である前記リテーナに形成されている構成とした。
請求項５の発明は、請求項１乃至請求項４のいずれかの発明において、前記コネクタハウジングには、前記遊動規制手段を備えたフロントホルダが前方から組み付けられるようになっており、前記フロントホルダが組み付けられた状態において前記端子金具に対して包囲するように嵌合することでその端子金具を保持する嵌合部によって前記遊動規制手段が構成されている。
【０００９】
請求項６の発明は、請求項５の発明において、前記嵌合部には、前記端子金具を後方から当接させることでその端子金具を前止まりする当接面が形成されている構成とした。
【００１０】
【発明の作用及び効果】
［請求項１の発明］
遊動規制手段が前後２箇所において端子金具又は電線を保持するので、キャビティ内において端子金具が挿入方向と交差する方向へ遊動することが確実に防止される。また、前後２つの遊動規制手段のうち少なくともいずれか一方がリテーナに設けられているので、遊動規制手段として前後両方ともに専用部品とする場合に比べると、部品点数の削減とコネクタハウジング及びキャビティの構造の簡素化を図ることが可能となっている。
【００１１】
［請求項２の発明］
リテーナは、そのコネクタハウジングに対する組み付け方向を利用して、端子金具又は電線をキャビティの内壁に押し付けるようにしているので、端子金具又は電線を包囲する形態で保持する構造に比べてリテーナの形状の簡素化を図ることができる。
［請求項３の発明］
遊動規制手段である押圧部が、端子金具を抜止めするための機能を兼ね備えているので、リテーナの形状を簡素化を図ることができる。
【００１２】
［請求項４の発明］
前後２つの遊動規制手段が１つのリテーナに形成されているので、前後２つの遊動規制手段を互いに独立した部品とした場合に比べると、コネクタハウジングへの組み付け工数が少なくて済む。
［請求項５の発明］
嵌合部は端子金具を包囲するように保持するので、端子金具をフロントホルダに対して同心状に保持することができる。
［請求項６の発明］
嵌合部は端子金具を前止まりする機能を兼ね備えているので、嵌合部とは別に専用の前止まり手段を形成する場合に比べると、フロントホルダの形状の簡素化を図ることができる。
【００１３】
【発明の実施の形態】
［実施形態１］
以下、本発明を具体化した実施形態１を図１及び図２を参照して説明する。
本実施形態のコネクタＣａは、合成樹脂製のコネクタハウジング１０と、端子金具２０と、合成樹脂製のリテーナ３０とを備えて構成されている。尚、以下の説明において、前後方向については図１における右方を前方とし、上下方向については図１を基準として説明することにする。
【００１４】
コネクタハウジング１０は、前方へ角筒状に延出するフード部１１を有しており、また、コネクタハウジング１０の内部には、その後端面からフード部１１の奥端面まで貫通する前後方向に細長いキャビティ１２Ａ，１２Ｂが上下２段に分かれて複数形成されている。各キャビティ１２Ａ，１２Ｂの天井面（上面）のうち前端部を除いた領域は、前後方向に延び且つ連続した平坦状をなす受け面１３とされている。天井面の受け面１３よりも前方には、上方への弾性撓みを可能とされたランス１４が、前方へ片持ち状に延出する形態で形成されている。ランス１４の下面には、受け面１３よりも下方へ突出する係止突起１４ａが形成されている。さらに、天井面の前端部、即ちランス１４よりも前方の領域は、前下がりに傾斜した前止まり斜面１５となっている。
【００１５】
コネクタハウジング１０には、リテーナ３０を取り付けるための取付け空間１６Ｆ，１６Ｒが形成されている。取付け空間１６Ｆ，１６Ｒは、コネクタハウジング１０の下面と下段のキャビティ１２Ｂとを連通させるとともに、下段のキャビティ１２Ｂの天井面から上段のキャビティ１２Ａの下面に連通する形態とされている。また、取付け空間１６Ｆ，１６Ｒは前後２つに分かれており、前側の取付け空間１６Ｆは、前後方向において受け面１３の前端部（＝ランス１４よりも少し後方の位置）と対応し、後側の取付け空間１６Ｒは受け面１３の後端部と対応するように位置する。
【００１６】
端子金具２０は、前後方向に細長い端子本体２１と、この端子本体２１の前端から前方へ突出するタブ２２とを有し、各キャビティ１２Ａ，１２Ｂに対してコネクタハウジング１０の後端の開口からタブ２２を先に向けて挿入される。端子本体２１は、平板状をなす上面板の左右両側縁から側板をほぼ直角下向きに延出させたものであり、端子本体２１の前端部には、両側板の前端部下縁から内側へ平板状の下面板を延出させることによって角筒部２３が形成されている。また、この角筒部２３の上面板の前端部は前下がりの当接斜面２４となっている。また、両側板のうち角筒部２３から後方へ延出する部分は、下縁が角筒部２３の下面板よりも上方に位置し且つ前下がりに傾斜した被押圧板２５となっている。そして、被押圧板２５の下縁と角筒部２３の下面板との間の上下の段差により、角筒部２３の後端部には被係止部２６が形成されている。さらに、角筒部２３の上面板には、ランス１４と対応するランス孔（図示せず）が形成されている。
【００１７】
端子本体２１の略後半領域にはオープンバレル状の電線圧着部２７が形成され、この電線圧着部２７には電線２８の前端部が圧着されている。この端子金具２０と圧着された電線２８の前端部とは、全体として前後方向にほぼ一直線状に延びており、また、電線２８の前端部の最上面の位置は端子本体２１の上面とほぼ同じ高さとなってる。
端子金具２０がキャビティ１２Ａ，１２Ｂに挿入される過程では、角筒部２３の上面板がランス１４の係止突起１４ａに当接することによって、ランス１４は上方（端子金具２０の挿入経路から退避する方向）へ弾性撓みさせられる。そして、端子金具２０が正規挿入位置に達すると、ランス１４が弾性復帰するのに伴ってその係止突起１４ａがランス孔に嵌入され、係止突起１４ａがランス孔の開口縁前縁に係止することによって端子金具２０の後方への戻りが規制される。また、当接斜面２４がキャビティ１２Ａ，１２Ｂの前止まり斜面１５に当接することによって、端子金具２０は前止まり状態（それ以上の挿入動作を規制された状態）となる。さらに、タブ２２は、キャビティ１２Ａ，１２Ｂを貫通してフード部１１内へ突出する。
【００１８】
端子金具２０が正規挿入された状態では、角筒部２３は、前側の取付け空間１６Ｆよりも前方にずれた領域（取付け空間１６Ｆとは非対応の領域）に位置し、被押圧板２５は前側の取付け空間１６Ｆの前端部領域と対応するように位置する。また、電線圧着部２７は後側の取付け空間１６Ｒよりも前方に外れた領域（取付け空間１６Ｒとは非対応の領域）に位置するようになり、したがって、後側の取付け空間１６Ｒには電線２８が対応する状態となる。さらに、端子本体２１の上面と電線２８の最上面は、受け面１３に対して当接するか若しくは僅かにクリアランスを空けて対応する状態となる。
【００１９】
リテーナ３０は、水平な支持板３１と、この支持板３１の上面から立ち上がる前後２つの嵌入部３２Ｆ，３２Ｒとからなる。前側の嵌入部３２Ｆと後側の嵌入部３２Ｒは、夫々、前側の取付け空間１６Ｆと後側の取付け空間１６Ｒに対して前後方向及び左右方向へのガタ付きなくほぼ緊密に嵌入し得るようになっている。また、リテーナ３０と取付け空間１６Ｆ，１６Ｒには、リテーナ３０を仮係止位置に仮保持するための仮係止手段と、リテーナ３０を本係止位置に保持するための本係止手段が形成されているが、この仮係止手段と本係止手段は周知の構造であるため図示及び説明は省略する。仮係止位置では、図２に示すように前後両嵌入部３２Ｆ，３２Ｒが各取付け空間１６Ｆ，１６Ｒ内に嵌入されるが、支持板３１はコネクタハウジング１０の下面から下方へ突出している。本係止位置では、図１に示すように、支持板３１がコネクタハウジング１０の下面と面一状になっていて、取付け空間１６Ｆ，１６Ｒに対する嵌入深さは仮係止位置よりも深くなっている。
【００２０】
前後両嵌入部３２Ｆ，３２Ｒには、夫々、リテーナ３０が仮係止位置にある状態で下段側のキャビティ１２Ｂと整合する貫通孔３３Ｆ，３３Ｒが前後方向に貫通して形成されており、仮係止状態では、端子金具２０がリテーナ３０の嵌入部３２Ｆ，３２Ｒと干渉することなく下段のキャビティ１２Ａ，１２Ｂに支障なく挿入されるようになっている。
前側の嵌入部３２Ｆの上面前端部には上方へ突出させた形態の押圧部３４Ａ（本発明の構成要件である遊動規制手段）が形成されており、この押圧部３４Ａは、リテーナ３０が本係止位置に押し込まれたときに、正規挿入されている上段側の端子金具２０の被押圧板２５の下縁に対して下から当接してその端子金具２０を上方へ押圧するようになっている。また、前側の嵌入部３２Ｆの貫通孔３３Ｆには、その内周前端部の下面を上方へ突出させた形態の押圧部３４Ｂ（本発明の構成要件である遊動規制手段）が形成されており、この押圧部３４Ｂは、リテーナ３０が本係止位置に押し込まれたときに、正規挿入されている下段側の端子金具２０の被押圧板２５の下縁に対して下から当接してその端子金具２０を上方へ押圧するようになっている。さらに、この前側の嵌入部３２Ｆに設けられている上下２つの押圧部３４Ａ，３４Ｂは、リテーナ３０が本係止された状態において、正規挿入された端子金具２０の被係止部２６に対して後方から係止可能となっており、ランス１４による係止とこの押圧部３４Ａ，３４Ｂによる後方からの係止によって、端子金具２０は二重係止状態となり、確実に抜止めされる。
【００２１】
さらに、後側の嵌入部３２Ｒの上端部は、リテーナ３０が本係止位置に押し込まれたときに、正規挿入されている上段側の端子金具２０に圧着されている電線２８に対して下から当接してその電線２８を上方へ押圧する押圧部３５Ａ（本発明の構成要件である遊動規制手段）となっている。また、後側の嵌入部３２Ｒの貫通孔３３Ｒの内周下面部は、リテーナ３０が本係止位置に押し込まれたときに、正規挿入されている下段側の端子金具２０に圧着されている電線２８に対して下から当接してその電線２８を上方へ押圧する押圧部３５Ｂ（本発明の構成要件である遊動規制手段）となっている。
【００２２】
次に、本実施形態の作用を説明する。
本実施形態のコネクタＣａを組み付ける際には、まず、リテーナ３０をコネクタハウジング１０に対して仮係止位置に仮保持しておく。この状態では、リテーナ３０の嵌入部３２Ｆ，３２Ｒ及びその押圧部３４Ａ，３４Ｂ，３５Ａ，３５Ｂは、いずれも端子金具２０のキャビティ１２Ａ，１２Ｂへの挿入経路の外へ退避している。この状態から各キャビティ１２Ａ，１２Ｂに端子金具２０を後方から挿入する。正規挿入された端子金具２０はランス１４の一次係止によって抜止めされる。この状態では、端子金具２０の挿入を円滑に行うために端子金具２０とキャビティ１２Ａ，１２Ｂとの間及び電線２８とキャビティ１２Ａ，１２Ｂとの間に設けられているクリアランスのために、端子金具２０と電線２８は上下方向へ遊動し得るようになっている。したがって、フード部１１内に突出しているタブ２２が上下方向に首振り状に遊動する虞がある。
【００２３】
さて、この状態からリテーナ３０を本係止位置へ押し込む。すると、前側の嵌入部３２Ｆの上下両押圧部３４Ａ，３４Ｂが、夫々、上下両端子金具２０の被押圧板２５の下縁に対して下から突き上げるように当接する。このとき、キャビティ１２Ａ，１２Ｂの受け面１３と端子金具２０の上面との間にクリアランスが空いていれば、端子金具２０は上方へ押し動かされる。そして、この押圧部３４Ａ，３４Ｂの突き上げにより、端子本体２１における角筒部２３よりも後方部分の平板状をなす上面がキャビティ１２Ａ，１２Ｂの平板状の受け面１３に対して面接触状態で押し付けられた状態に保持される。
【００２４】
これと同時に、後側の嵌入部３２Ｒの上下両押圧部３５Ａ，３５Ｂが、夫々、上下両電線２８に対して下から突き上げるように当接する。このとき、キャビティ１２Ａ，１２Ｂの受け面１３と電線２８の最上面との間にクリアランスが空いていれば、電線２８は上方へ押し動かされる。そして、この押圧部３５Ａ，３５Ｂの突き上げにより、電線２８がキャビティ１２Ａ，１２Ｂの平板状の受け面１３に対して前後方向の線接触状態、若しくは、電線２８の外周の樹脂製の絶縁被覆が潰れ変形している場合には面接触状態で押し付けられた状態に保持される。この押圧部３５Ａ，３５Ｂによる押圧位置は、押圧部３４Ａ，３４Ｂに対して後方に離間した位置である。
【００２５】
上述のように本実施形態においては、リテーナ３０に設けた押圧部３４Ａ，３４Ｂ，３５Ａ，３５Ｂが前後２箇所において端子金具２０と電線２８を保持するので、キャビティ１２Ａ，１２Ｂ内において端子金具２０が挿入方向と交差する方向（上下方向）へ遊動することが確実に防止される。
また、遊動規制手段としての前後両押圧部３４Ａ，３４Ｂ，３５Ａ，３５Ｂが共にリテーナ３０に設けられているので、遊動規制手段として前後両方ともに又はいずれか一方をリテーナ以外の専用部品とする場合に比べると、部品点数の削減とコネクタハウジング１０及びキャビティ１２Ａ，１２Ｂの構造の簡素化を図ることが可能となっている。
【００２６】
また、リテーナ３０は、そのコネクタハウジング１０に対する組み付け方向を利用して、端子金具２０と電線２８をキャビティ１２Ａ，１２Ｂの内壁（受け面１３）に押し付けるようにしているので、端子金具２０と電線２８を包囲する形態で保持する構造に比べてリテーナ３０の形状の簡素化を図られている。
また、遊動規制手段を構成する前側の押圧部３４Ａ，３４Ｂは、ランス１４と協動して端子金具２０を抜止めするための二重係止手段としての機能も兼ね備えているので、リテーナ３０の形状を簡素化を図ることができる。
【００２７】
また、前後２つの押圧部３４Ａ，３４Ｂ，３５Ａ，３５Ｂが１つのリテーナ３０に形成されているので、前後２つの押圧部を互いに独立した部品とした場合に比べると、部品点数の削減を図ることができるとともに、コネクタハウジング１０への組み付け工数が少なくて済む。
［実施形態２］
次に、本発明を具体化した実施形態２を図３及び図４を参照して説明する。
本実施形態のコネクタＣｂは、合成樹脂製のコネクタハウジング４０と、端子金具２０と、合成樹脂製のリテーナ５０、合成樹脂製のフロントホルダ６０とを備えて構成されている。尚、以下の説明において、前後方向については図３における右方を前方とし、上下方向については図３を基準として説明する。
【００２８】
コネクタハウジング４０は、前方へ角筒状に延出するフード部４１を有しており、また、コネクタハウジング４０の内部には、その後端面からフード部４１の奥端面まで貫通する前後方向に細長いキャビティ４２Ａ，４２Ｂが上下２段に分かれて複数形成されている。各キャビティ４２Ａ，４２Ｂの天井面（上面）のうち前端部を除いた領域は、前後方向に延び且つ連続した平坦状をなす受け面４３とされている。天井面の受け面４３よりも前方には、上方への弾性撓みを可能とされたランス４４が、前方へ片持ち状に延出する形態で形成されている。
【００２９】
コネクタハウジング４０には、リテーナ５０を取り付けるための取付け空間４５が形成されている。取付け空間４５は、コネクタハウジング４０の下面と下段のキャビティ４２Ｂとを連通させるとともに、下段のキャビティ４２Ｂの天井面から上段のキャビティ４２Ａの下面に連通する形態とされている。取付け空間４５は、前後方向において受け面４３の前端部（＝ランス４４よりも少し後方の位置）と対応している。
【００３０】
端子金具２０は、上記実施形態１の端子金具２０と同一のものであるため、説明は省略し、同一符号を付すに留める。端子金具２０がキャビティ４２Ａ，４２Ｂに挿入される過程では、角筒部２３がランス４４に当接してそのランス４４を上方（端子金具２０の挿入経路から退避する方向）へ弾性撓みさせる。そして、端子金具２０が正規挿入位置に達すると、ランス４４が弾性復帰して端子金具２０のランス孔に係止されることにより端子金具２０の後方への戻りが規制される。端子金具２０が正規挿入された状態では、角筒部２３は、取付け空間４５よりも前方にずれた領域（取付け空間４５とは非対応の領域）に位置し、被押圧板２５は取付け空間４５の前端部領域と対応するように位置する。また、端子本体２１の上面と電線２８の最上面は、受け面４３に対して当接するか若しくは僅かにクリアランス４４を空けて対応する状態となる。尚、タブ２２は、後述するフロントホルダ６０を貫通してフード部４１内に突出した状態となる。
【００３１】
リテーナ５０は、水平な支持板５１と、この支持板５１の上面から立ち上がる嵌入部５２とからなる。嵌入部５２は、取付け空間４５に対して前後方向及び左右方向へのガタ付きなくほぼ緊密に嵌入し得るようになっている。また、リテーナ５０は、図示しない周知の仮係止手段と本係止手段によって、夫々、仮係止位置と本係止位置とに保持されるようになっている。仮係止位置では、図４に示すように嵌入部５２が取付け空間４５内に嵌入されるが、支持板５１はコネクタハウジング４０の下面から下方へ突出している。本係止位置では、図３に示すように、支持板５１がコネクタハウジング４０の下面と面一状になっていて、取付け空間４５に対する嵌入深さは仮係止位置よりも深くなっている。
【００３２】
嵌入部５２には、リテーナ５０が仮係止位置にある状態で下段側のキャビティ４２Ｂと整合する貫通孔５３が前後方向に貫通して形成されており、仮係止状態では、端子金具２０がリテーナ５０と干渉することなく下段のキャビティ４２Ｂに支障なく挿入されるようになっている。嵌入部５２の上面前端部には上方へ突出させた形態の押圧部５４Ａ（本発明の構成要件である遊動規制手段）が形成されており、この押圧部５４Ａは、リテーナ５０が本係止位置に押し込まれたときに、正規挿入されている上段側の端子金具２０の被押圧板２５の下縁に対して下から当接してその端子金具２０を上方へ押圧するようになっている。また、嵌入部５２の貫通孔５３には、その内周前端部の下面を上方へ突出させた形態の押圧部５４Ｂ（本発明の構成要件である遊動規制手段）が形成されており、この押圧部５４Ｂは、リテーナ５０が本係止位置に押し込まれたときに、正規挿入されている下段側の端子金具２０の被押圧板２５の下縁に対して下から当接してその端子金具２０を上方へ押圧するようになっている。さらに、この前側の嵌入部５２に設けられている上下２つの押圧部５４Ａ，５４Ｂは、リテーナ５０が本係止された状態において、正規挿入された端子金具２０の被係止部２６に対して後方から係止可能となっており、ランス４４による係止とこの押圧部５４Ａ，５４Ｂによる後方からの係止によって、端子金具２０は二重係止状態となり、確実に抜止めされる。
【００３３】
コネクタハウジング４０におけるフード部４１の奥端部には、各キャビティ４２Ａ，４２Ｂの前端部を前方に開放させる取付け凹部４６が形成されており、この取付け凹部４６には前方からフロントホルダ６０が組み付けられている。フロントホルダ６０は、全体として端子金具２０の挿入方向に対して直交する肉厚の壁状をなし、このフロントホルダ６０には、その後面（キャビティ４２Ａ，４２Ｂに臨む面）から前面（フード部４１内に臨む面）に貫通する孔状の嵌合部６１（本発明の構成要件である遊動規制手段）が、上下各キャビティ４２Ａ，４２Ｂに対応して形成されている。嵌合部６１の内周における天井面（上面）には、前方に向かって下り勾配となった前止まり斜面６２（本発明の構成要件である当接面）が形成されている。また、嵌合部６１には、端子金具２０の端子本体の下面に沿って後方へ延出する平坦状の保持板６３が形成されている。
【００３４】
次に、本実施形態の作用を説明する。
本実施形態のコネクタＣｂを組み付ける際には、まず、フロントホルダ６０をフード部４１の奥端部に組付けておくとともに、リテーナ５０をコネクタハウジング４０に対して仮係止位置に仮保持しておく。この状態では、リテーナ５０の嵌入部５２及びその押圧部５４Ａ，５４Ｂは、いずれも端子金具２０のキャビティ４２Ａ，４２Ｂへの挿入経路の外へ退避している。この状態から各キャビティ４２Ａ，４２Ｂに端子金具２０を後方から挿入する。正規挿入された端子金具２０はランス４４の一次係止によって抜止めされる。
【００３５】
また、端子金具２０が正規位置まで挿入された状態では、角筒部２３の前端部が嵌合部６１に後方から嵌合される。即ち、角筒部２３の上側の当接斜面２４が嵌合部６１の前止まり斜面６２に対して斜め下後方から当接するとともに、角筒部２３の前端部下面が嵌合部６１の保持板６３に対して上から面接触状態で当接し、これにより、端子金具２０の端子本体２１の前端側の角筒部２３が、フロントホルダ６０によって上下方向へのガタ付きを規制された状態に保持される。尚、当接斜面２４と前止まり斜面６２との当接によって、端子金具２０は前止まり状態（それ以上の挿入動作を規制された状態）となる。
【００３６】
この状態からリテーナ５０を本係止位置へ押し込む。すると、嵌入部５２の上下両押圧部５４Ａ，５４Ｂが、夫々、上下両端子金具２０の被押圧板２５の下縁に対して下から突き上げるように当接する。この当接位置は、フロントホルダ６０の嵌合部６１よりも後方の位置である。このとき、キャビティ４２Ａ，４２Ｂの受け面４３と端子金具２０の上面との間にクリアランス４４が空いていれば、端子金具２０は上方へ押し動かされる。そして、この押圧部５４Ａ，５４Ｂの突き上げにより、角筒部２３の平板状の上面がキャビティ４２Ａ，４２Ｂの平板状の受け面４３に対して面接触状態で押し付けられた状態に保持される。
【００３７】
上述のように本実施形態においては、フロントホルダ６０の嵌合部６１とリテーナ５０の押圧部５４Ａ，５４Ｂが前後２箇所において端子金具２０を保持するので、キャビティ４２Ａ，４２Ｂ内において端子金具２０が挿入方向と交差する方向（上下方向）へ遊動することが確実に防止される。また、後側の遊動規制手段である押圧部５４Ａ，５４Ｂは端子金具２０を抜止するためのリテーナ５０に設けられているので、遊動規制手段として前後両方ともに専用部品とする場合に比べると、部品点数の削減とコネクタハウジング４０及びキャビティ４２Ａ，４２Ｂの構造の簡素化を図ることが可能となっている。
【００３８】
また、リテーナ５０は、そのコネクタハウジング４０に対する組み付け方向を利用して、端子金具２０をキャビティ４２Ａ，４２Ｂの内壁（受け面４３）に押し付けるようにしているので、端子金具２０を包囲する形態で保持する構造に比べてリテーナ５０の形状の簡素化を図ることができる。
また、フロントホルダ６０の嵌合部６１は端子金具２０の角筒部２３の前端部を全周に亘って包囲するように保持するので、端子金具２０をフロントホルダ６０に対して同心状に保持することができる。
【００３９】
また、嵌合部６１は端子金具２０を前止まりする機能を兼ね備えているので、嵌合部６１とは別に専用の前止まり手段を形成する場合に比べると、フロントホルダ６０の形状の簡素化を図ることができる。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００４０】
（１）上記実施形態１ではリテーナにおける後側の押圧部が電線を押圧するようにしたが、本発明によれば、前側と後側の双方の押圧部が端子金具を押圧するようにしてもよい。
（２）上記実施形態１では端子金具の挿入方向と交差する方向に組み付けられるリテーナを１部品とし、そのリテーナに設けた前後２つの押圧部によって端子金具と電線を押圧する構成としたが、本発明によれば、端子金具の挿入方向と交差する方向に組み付けられる前後独立した２つのリテーナを組み付け、各リテーナに夫々設けた押圧部によって端子金具と電線又は端子金具における前後２位置を押圧する構成としてもよい。
【００４１】
（３）上記実施形態１及び２では遊動規制手段を有するリテーナが端子金具の挿入方向と交差する方向に組み付けられるようにしたが、本発明によれば、コネクタハウジングに対して後方から組み付けられることで端子金具を抜止するリアホルダに遊動規制手段を設けてもよい。
（４）上記実施形態１及び２では遊動規制手段を端子金具の抜止め手段として機能させるようにしたが、発明によれば、リテーナに、押圧部とは別に専用の抜止手段を形成してもよい。
【００４２】
（５）上記実施形態２においてフロントホルダにも、端子金具を抜止するための手段を設けてもよい。
（６）上記実施形態２ではフロントホルダの嵌合部に前止まり用の当接面を形成したが、本発明によれば、嵌合部とは別に専用の前止まり手段をフロントホルダに形成してもよい。
（７）上記実施形態１及び２では前端部にタブを有する雄端子金具に適用した例を説明したが、本発明は、タブが挿入される角筒状嵌合部を有する雌端子金具に適用することもできる。
【図面の簡単な説明】
【図１】実施形態１においてコネクタハウジングに端子金具とリテーナを組み付けた状態をあらわす断面図
【図２】実施形態１においてコネクタハウジングから端子金具が外されるとともにリテーナがコネクタハウジングに対して仮係止位置に係止されている状態をあらわす断面図
【図３】実施形態２においてコネクタハウジングに端子金具とリテーナを組み付けた状態をあらわす断面図
【図４】実施形態２においてコネクタハウジングから端子金具が外されるとともにリテーナがコネクタハウジングに対して仮係止位置に係止されている状態をあらわす断面図
【符号の説明】
Ｃａ…コネクタ
１０…コネクタハウジング
１２Ａ，１２Ｂ…キャビティ
２０…端子金具
２８…電線
３０…リテーナ
３４Ａ，３４Ｂ，３５Ａ，３５Ｂ…押圧部（遊動規制手段）
Ｃｂ…コネクタ
４０…コネクタハウジング
４２Ａ，４２Ｂ…キャビティ
５０…リテーナ
５４Ａ，５４Ｂ…押圧部（遊動規制手段）
６０…フロントホルダ
６１…嵌合部（遊動規制手段）
６２…前止まり斜面（当接面）
【図１】
2004158385.tif 000003
【図２】
2004158385.tif 000004
【図３】
2004158385.tif 000005
【図４】
2004158385.tif 000006